(57)【特許請求の範囲】
【請求項１】
画像変形装置の前面に設けられ，上記画像変形装置の前方の被写体を撮像し，被写体像を動画で表す動画信号を出力するビデオ・カメラ，
上記画像変形装置の前面に表示画面が設けられ，上記ビデオ・カメラから出力される動画信号によって表される被写体像を動画で上記表示画面上に表示する第１の表示装置，
上記表示画面に固定的に規定されている変形対象領域内に表示されている画像を変形するように上記ビデオ・カメラから出力される動画信号を処理する画像変形手段，および
上記画像変形手段により変形された画像を含む被写体像を上記表示画面上に表示するように上記第１の表示装置を制御する画像表示制御手段，
を備えた画像変形装置。
【請求項２】
上記変形対象領域を，上記第１の表示装置の表示画面上のあらかじめ定められた位置に，被写体像上に重ねて表示するように上記第１の表示装置を制御する変形対象領域表示制御手段，をさらに備えた請求項１に記載の画像変形装置。
【請求項３】
上記画像変形手段により変形された画像を含む被写体像を印刷する印刷装置をさらに備えた請求項１に記載の画像変形装置。
【請求項４】
上記変形処理が複数種類あり，これらの複数種類の変形処理のうち１つの変形処理を指定する変形処理指定手段をさらに備え，
上記画像変形手段は，上記変形処理指定手段によって指定された変形処理にもとづく変形を行うものである，請求項１に記載の画像変形装置。
【請求項５】
上記変形処理が複数あり，これらの複数種類の変形処理後の画像の縮小画像を表示する第２の表示装置を備え，
上記画像変形手段は，
上記第２の表示装置に表示されている複数種類の変形処理後の被写体像の縮小画像のうち少なくとも１つを指定することにより指定された縮小画像について行われている変形処理と同じ変形処理を，上記変形対象領域内に表示されている画像について行うものである，
請求項１に記載の画像変形装置。
【請求項６】
上記画像変形手段による変形処理後の画像と変形処理前の被写体像とを表示する第３の表示装置をさらに備えた請求項５に記載の画像変形装置。
【請求項７】
上記変形対象領域が複数あり，これらの変形対象領域のうち少なくとも１つの変形対象領域を指定する変形対象領域指定手段をさらに備え，
上記変形対象領域表示制御手段が，上記変形対象領域指定手段によって指定された変形対象領域を上記第１の表示装置の表示画面上に表示するものである，
請求項２に記載の画像変形装置。
【請求項８】
上記画像表示制御手段が，上記画像変形手段により画像が変形されている過程を上記第１の表示装置に表示させるものである，請求項１に記載の画像変形装置。
【請求項９】
上記画像表示制御手段が，画像の上記変形過程中に変形停止指令が与えられることにより変形処理を停止し，変形停止指令が与えられたときの変形画像を上記第１の表示装置の表示画面に表示するものである，請求項８に記載の画像変形装置。
【請求項１０】
上記画像変形手段により画像が変形されている過程の変形画像のうちの複数の縮小画像を表示する第４の表示装置をさらに備えている請求項６に記載の画像変形装置。
【請求項１１】
上記第４の表示装置に表示されている複数の縮小画像のうち少なくとも１つの画像を指定する変形画像指定手段をさらに備え，
上記画像変形手段は，上記変形画像指定手段により指定された変形画像について行われている変形処理と同じ処理を，上記変形対象領域内に表示されている画像について行うものである，請求項10に記載の画像変形装置。
【請求項１２】
ビデオ・カメラが，画像変形装置の前面に設けられ，上記画像変形装置の前方の被写体を撮像し，被写体像を動画で表す動画信号を出力し，
第１の表示装置が，上記画像変形装置の前面に表示画面が設けられ，上記ビデオ・カメラから出力される動画信号によって表される被写体像を動画で上記表示画面上に表示し，
画像変形手段が，上記表示画面に固定的に規定されている変形対象領域内に表示されている画像を変形するように上記ビデオ・カメラから出力される動画信号を処理し，
画像表示制御手段が，上記画像変形手段により変形された画像を含む被写体像を上記表示画面上に表示するように上記第１の表示装置を制御することを特徴とした画像変形方法。
【請求項１３】
上記変形対象領域を，上記第１の表示装置の表示画面上のあらかじめ定められた位置に，被写体像上に重ねて表示する，請求項12に記載の画像変形方法。
【請求項１４】
上記画像変形処理により変形された画像を含む被写体像を印刷する，請求項12に記載の画像変形方法。
【請求項１５】
上記変形処理が複数種類あり，これらの複数種類の変形処理のうち１つの変形処理を指定し，上記変形処理が指定された変形処理にもとづく変形を行うものである，請求項12に記載の画像変形方法。
【請求項１６】
上記変形処理が複数種類あり，これらの複数種類の変形処理後の被写体像の縮小画像を第２の表示装置に表示し，
上記第２の表示装置に表示されている複数種類の変形処理後の画像の縮小画像のうちの少なくとも１つを指定することにより指定された縮小画像について行われている変形処理と同じ変形処理を，上記変形対象領域内に表示されている画像について行うものである，請求項12に記載の画像変形方法。
【請求項１７】
上記変形処理前の被写体像を第３の表示装置に表示する，請求項16に記載の画像変形方法。
【請求項１８】
上記変形対象領域が複数あり，これらの変形対象領域のうち少なくとも１つの変形対象領域を指定し，
指定された変形対象領域を上記第１の表示装置に表示する，
請求項13に記載の画像変形方法。
【請求項１９】
上記変形処理により画像が変形されている過程を上記第１の表示装置に表示するものである，請求項12に記載の画像変形方法。
【請求項２０】
上記変形処理中に変形停止命令が与えられることにより，上記変形処理を停止し，変形停止指令が与えられたときの変形画像を上記第１の表示装置に表示するものである，請求項19に記載の画像変形方法。
【請求項２１】
上記変形処理により画像が変形されている過程の変形画像のうちの複数の縮小画像を第４の表示装置に表示する，請求項17に記載の画像変形方法。
【請求項２２】
上記第４の表示装置に表示されている複数の縮小画像のうち少なくとも１つの画像が指定されることにより，指定された変形画像について行われている変形処理と同じ処理を，上記変形対象領域内に表示されている画像について行うものである，請求項21に記載の画像変形方法。
【発明の詳細な説明】
【０００１】
【技術分野】
この発明は，被写体を撮像し，撮像によって得られた被写体像を変形して表示装置に表示する装置および方法ならびにディジタル・スチル・ビデオ・カメラおよび画像データ記録法方ならびに画像変形方法に関する。
【０００２】
【発明の背景】
コンピュータのハードウエアおよびソフトウエアの進歩により写真などに表された画像をディジタル化し，ディジタル画像をコンピュータに取り込むことが可能になってきた。このようにしてコンピュータに取り込まれた画像の全部またはその一部を拡大，縮小，回転などの変形処理することも実現されている。
【０００３】
ディジタル画像の全部またはその一部を変形する場合には，ディジタル画像をコンピュータの表示装置の表示画面上に表示した上でキーボード，マウスなどを用いて変形する画像の範囲を特定している。
【０００４】
しかしながら，コンピュータの操作に不慣れな人はコンピュータへの画像の取り込みも変形する画像の範囲の特定も依然として難しい。
【０００５】
【発明の開示】
この発明は，コンピュータ操作に不慣れな人でも撮像によって得られた画像を変形した画像を比較的簡単に得ることができるようにすることを目的とする。
【０００６】
第１の発明による画像変形装置は，被写体を撮像し，被写体像を表す画像信号を出力する撮像手段，上記撮像手段から出力される画像信号によって表される被写体像を表示画面上に表示する第１の表示装置，変形対象領域を定めるための変形対象領域データを記憶する変形対象領域データ記憶手段，上記変形対象領域データ記憶手段に記憶されている変形対象領域データによって定められる変形対象領域内に表示されている画像を変形するように上記撮像手段から出力される画像信号を処理する画像変形手段，および上記画像変形手段により変形された画像を含む被写体像を上記第１の表示装置の表示画面上に表示するように上記第１の表示装置を制御する画像表示制御手段を備えていることを特徴とする。
【０００７】
第１の発明は，上記画像変形装置を実施するのに適した方法も提供している。すなわち，被写体を撮像し，被写体像を表す画像信号を得，上記撮像によって得られる画像信号により表される被写体像を第１の表示装置の表示画面上に表示し，変形対象領域を表す変形対象領域データを記憶しておき，記憶されている変形対象領域データによって定められる変形対象領域内に表示されている画像を変形するように撮像によって得られた画像信号を処理し，上記画像変形処理により変形された画像を含む被写体像を上記第１の表示装置の表示画面上に表示するものである。
【０００８】
画像変形装置は据え置き型の大型の装置であってもよいし，ディジタル・スチル・カメラのように携帯可能な小型の装置であってもよい。
【０００９】
第１の発明によると被写体が撮像され，この撮像によって得られる被写体像が上記第１の表示装置に表示される。
【００１０】
また変形対象領域を表す変形対象領域データが記憶されている。この変形対象領域データによって表される変形対象領域内の画像が変形されるように被写体像を表す画像信号が処理される。変形対象領域内の画像が変形した被写体像が上記第１の表示装置に表示される。
【００１１】
変形する画像の範囲をユーザが特定することなく，上記変形対象領域に合わせて被写体を動かす（ユーザ自身が被写体である場合には，被写体であるユーザが動く）だけで，被写体像の全部またはその一部を変形して表示することができる。また画像変形装置がディジタル・スチル・カメラのように装置自体を容易に動かすことができるものである場合には，被写体の変形させるべき部分が上記変形対象領域内に入るように画像変形装置を動かすだけで被写体像の全部またはその一部を変形して表示できる。コンピュータに不慣れな人でも簡単に撮像した画像と異なる変形した画像を得ることができる。
【００１２】
上記変形対象領域を，上記第１の表示装置の表示画面上のあらかじめ定められた位置に，被写体像上に重ねて表示することが好ましい。変形対象領域の範囲が明確となる。
【００１３】
好ましくは，変形された上記画像を印刷する。
【００１４】
複数種類の変形処理が可能なようにしてもよい。この場合には複数種類の変形処理のうち１つを指定させるようにし，指定された変形処理が行われ表示されることとなろう。
【００１５】
また複数種類の変形処理が可能な場合にはその複数種類の変形処理後の縮小画像を第２の表示装置に表示してもよい。第２の表示装置に表示された複数種類の変形処理後の縮小画像を見ながら，変形処理後の所望の縮小画像を指定し，指定された縮小画像について行われている変形処理と同じ変形処理を，上記変形対象領域内に表示されている画像について行い，変形された画像を含む被写体像を上記第１の表示装置に表示する。
【００１６】
変形処理後の縮小画像が第２の表示装置に表示されるので，変形処理後の画像の様子を把握したあとで所望の変形処理を指定できる。第１の表示装置と第２の表示装置とを１つの表示装置で実現し，変形された画像を含む被写体像と変形処理後の縮小画像とを１つの表示装置の表示画面上の異なる領域に表示してもよい。
【００１７】
変形処理前の被写体像を上記第３の表示装置に表示してもよい。
【００１８】
変形処理後の被写体像が上記第１の表示装置に表示され，変形処理前の被写体像が上記第３の表示装置に表示されるので変形処理前後の被写体像を直接比較できる。もちろん，第１の表示装置と第３の表示装置とを１つの表示装置で実現し，１つの表示装置の表示画面上の異なる領域に変形処理前後の被写体像を表示してもよい。
【００１９】
上記変形対象領域が複数ある場合には，変形対象領域を指定し，指定された変形対象領域に入っている画像を変形してもよい。被写体像のうち所望の部分のみを変形することができる。もちろん変形対象領域を指定せずにすべての変形対象領域に入っている被写体像の部分を変形してもよいのはいうまでもない。
【００２０】
画像が変形している過程を表示してもよい。この場合，画像の変形過程中に変形停止指令が与えられることにより，変形処理を停止し，変形停止指令が与えられたときの変形画像を上記第１の表示装置に表示することができる。所望の変形状態の画像を得ることができる。
【００２１】
また画像が変形されている過程の変形画像のうちの複数の縮小画像を表示する第４の表示装置を設けてもよい。変形過程の複数の画像を認識することができ，第４の表示装置に表示されている複数の縮小画像のうち所望の縮小画像について行われている変形処理と同じ処理を，上記変形対象領域内に表示されている画像について行うこともできる。第１の表示装置と第４の表示装置とにを１つの表示装置で実現し，変形された画像を含む被写体像と変形過程の複数の縮小画像を１つの表示装置の表示画面上の異なる領域に表示してもよい。
【００２２】
第２の発明は，変形対象領域が表されるビューファインダ，上記ビューファインダを通して見られる被写体を撮像し，被写体像を表す画像データを出力する撮像手段，上記変形対象領域を特定するデータを入力する変形対象領域特定データ入力手段，ならびに上記撮像手段から出力された画像データと上記変形対象領域特定データ入力手段から入力された変形対象領域特定データとを関連づけて記録媒体に記録する記録制御手段を備えたことを特徴とする。
【００２３】
第２の発明は，上記カメラに適した画像記録方法も提供している。すなわち，ビューファインダを通して見られる被写体を撮像し，被写体像を表す画像データを得，得られた画像データを記録媒体に記録するディジタル・スチル・カメラにおいて，上記ビューファインダに変形対象領域を表し，上記ビューファインダに表された変形対象領域を特定するデータを入力し，入力された変形対象領域特定データを，上記画像データに関連づけて上記記録媒体に記録するものである。
【００２４】
この発明は上記第２の発明によって記録媒体に記録された画像データおよび変形対象領域特定データにもとづいて被写体像を変形させる装置も提供している。
【００２５】
すなわち，この装置は，被写体像を表す画像データおよび変形対象領域を特定する変形対象領域データが記録されている記録されている記録媒体から上記画像データおよび上記変形対象領域データを読み取る読取手段，上記読取手段によって読み取られた上記画像データにより表される被写体像のうち，上記読取手段によって読み取られた上記変形対象領域特定データによって表される変形対象領域内の画像を変形するように上記画像データを処理する画像変形手段，ならびに上記画像変形手段によって変形された画像を含む被写体像を表示する表示装置を備えたことを特徴とする。
【００２６】
さらに上記装置に適した方法も提供している。すなわち，被写体像を表す画像データおよび変形対象領域を表す変形対象領域特定データが関連づけられて記録されている記録媒体から上記画像データおよび上記変形対象領域特定データを読取り，上記画像データによって表される被写体像のうち，上記変形対象領域特定データによって表される変形対象領域内の画像を変形するように上記画像データを処理するものである。
【００２７】
ユーザは，変形対象領域を特定するための変形対象特定領域データを入力する。ユーザは，ビューファインダに表される変形対象領域を見ながら，被写体の変形させたい部分がその変形対象領域に入るように，カメラを動かすか，または被写体に動いてもらう。
【００２８】
被写体の変形させたい部分が変形対象領域に入っている状態で，被写体が撮影される。被写体を表す画像データは，ユーザによって入力された変形対象特定領域データに関連して，変形対象特定領域データとともに記録媒体に記録される。変形対象特定領域データは変形対象領域を表すデータそのものであってもよいし，変形対象領域を表すデータを特定するデータであってもよい。
【００２９】
被写体像を表す画像データおよび変形対象領域を表す変形対象領域特定データが関連づけられて記録媒体に記録される。記録されている記録媒体から上記画像データおよび上記変形対象領域特定データが読み取られ，上記画像データによって表される被写体像のうち，上記変形対象領域特定データによって表される変形対象領域内の画像が変形される。
【００３０】
上記変形対象特定領域データを入力し，変形させたい被写体の部分を変形対象特定領域内に入れて撮影するだけで，被写体像の変形が可能となる。コンピュータの操作に不慣れなユーザであっても比較的簡単に撮影した画像と異なる変形した画像を得ることができる。
【００３１】
【実施例の説明】
図１は，この実施例による画像変形装置１の斜視図である。
【００３２】
画像変形装置１は，ユーザ（被写体）を撮影し，撮影した画像の一部を変形して表示し，プリントする装置である。
【００３３】
画像変形装置１は，その前面上方のほぼ中央部分にビデオ・カメラ２が配置されている。ユーザはビデオ・カメラ２に向かって画像変形装置１の前方に立つ。ビデオ・カメラ１によってユーザが撮影される。
【００３４】
ビデオ・カメラ２の下方にはモニタ表示装置３が設けられている。このモニタ表示装置３の表示画面上にビデオ・カメラ２によって撮影された被写体像が動画で表示される（後述のフリーズ・ボタン７が押されることにより，フリーズ・ボタン７が押された時点の被写体像の静止画が表示される）。
【００３５】
モニタ表示装置３の右側方には操作ガイダンスを音声で出力するためのスピーカ４が設けられている。ユーザは，スピーカ４から出力される音声にしたがって画像変形装置１を操作する。
【００３６】
画像変形装置１の前面のほぼ中央の部分には前面に張りだした操作部12が形成されている。この操作部12には，後述のようにモニタ表示装置３に表示されるアイコンを選択するときに押されるアイコン選択ボタン５，アイコンを決定するときおよびモニタ表示装置３に表示されている被写体像をプリントするときに押される決定／プリント・ボタン６，モニタ表示装置３に静止画を表示させるときに押されるフリーズ・ボタン７およびキャンセル・ボタン８が含まれている。さらに操作部12にはコイン返却ボタン13が設けられている。
【００３７】
操作部12の下方には，画像変形装置１をユーザが利用するときにコインを投入するためのコイン投入口９が設けられている。
【００３８】
画像変形装置１の前面下方にはコイン返却口10が設けられている。被写体像をプリントするために決定／プリント・ボタンが押される前にコイン返却ボタン13が押されることによりコイン投入口９に投入されたコインが，コイン返却口10から返却される。
【００３９】
コイン返却口10の右側には撮影によって得られたプリントを放出するためのプリント放出口11が設けられている。
【００４０】
図２は，画像変形装置１の電気的構成の一部を示すブロック図である。この図においてスピーカ４は図示が省略されている。
【００４１】
画像変形装置１の全体の動作は，ＣＰＵ20によって統括される。また画像変形装置１には動作プログラム，後述する変形対象領域を表すデータ，アイコンを表すデータ，その他の必要なデータなどを記憶するためのメモリ25が含まれている。
【００４２】
コイン投入口９（図１参照）からコインが投入されるとビデオ・カメラ２によってユーザが撮影される。ユーザを表すビデオ信号は，ビデオ・カメラ２からビデオ信号入力装置21に与えられ，ディジタル画像データに変換される。
【００４３】
ディジタル画像データは，ＣＰＵ20に与えられ，このＣＰＵ20において必要であれば画像変形処理が行われる。
【００４４】
ディジタル画像データはＣＰＵ20から読み出され，画像表示メモリ22に一時記憶される。ディジタル画像データは画像表示メモリ22から読み出され，画像表示コントローラ23に与えられる。画像表示コントローラ23の制御のもとにディジタル画像データによって表される画像が動画としてモニタ表示装置３の表示画面上に表示される。
【００４５】
操作部12に含まれるボタンの押し下げを表す信号は，入力コントローラ24を介してＣＰＵ20に与えられる。ＣＰＵ20においては入力した信号にもとづく処理（画像変形処理，画像フリーズ処理，画像縮小処理など）が行われる。また，操作部12においてプリント・ボタン６が押されるとプリンタ26によってモニタ表示装置３に表示されている被写体像のプリント処理が行われる。
【００４６】
図３は，画像変形装置１の処理手順を示すフローチャート，図４は，表示装置３の表示画面の一例を示している。
【００４７】
上述したように画像変形装置１のコイン投入口９にコインが投入されることにより図３に示す処理が開始される。
【００４８】
コインが投入されると，メモリ25から変形対象領域を表すデータおよびアイコンを表すデータが読み出され画像表示コントローラ23に与えられる。画像表示コントローラ23により表示装置３の表示画面上のほぼ全面にメイン表示領域ＡＭが表示され，表示装置３の表示画面上の右端部にサブ表示領域ＡＳが表示される（ステップ31）。
【００４９】
メイン表示領域ＡＭは，ビデオ・カメラ２によって撮影された画像と，変形後の画像とを表示する領域である。メイン表示領域ＡＭには変形する被写体像の部分を表すための変形対象領域ＡＴが表示される。この変形対象領域ＡＴ内に入っている画像が，後述するようにユーザによって指定される処理によって変形される。この変形対象領域ＡＴの位置は固定である。変形させたい部分が変形対象領域ＡＴ内に入るようにユーザが動く。
【００５０】
さらに，メイン表示領域ＡＭには画像をフリーズさせたいときにはフリーズ・ボタン７を押せばよい旨の説明，およびフリーズさせた画像をプリントする場合には決定／プリント・ボタン６を押せばよい旨の説明がそれぞれ表示される。もちろん必要に応じてそのほかの説明を表示させてもよいし，すべての説明をスピーカ４から出力される音声によってもよい。
【００５１】
サブ表示領域ＡＳには変形対象領域ＡＴ内に入っている画像の変形方法（変形対象領域ＡＴ内の画像を大きくする，小さくする，細くする，太くするなど）を示すアイコンが表示される。
【００５２】
図４に示す例では，サブ表示領域ＡＳには４つのサブ表示領域ＡＳ１，ＡＳ２，ＡＳ３およびＡＳ４が形成されている。第１のサブ表示領域ＡＳ１には通常の顔のアイコンが表示されている。第１のサブ表示領域ＡＳ１に表示されるアイコンは，画像を変形させない場合に選択される。第２のサブ表示領域ＡＳ２にはやせた顔のアイコンが表示されている。第２のサブ表示領域ＡＳ２に表示されるアイコンは変形対象領域ＡＴ内に入っている画像を細くする場合に選択される。第３のサブ表示領域ＡＳ３には太った顔のアイコンが表示されている。第３のサブ表示領域ＡＳ３に表示されるアイコンは変形対象領域ＡＴ内に入っている画像を太くする場合に選択される。第４のサブ表示領域ＡＳ４には通常の顔の左右が反転された顔のアイコンが表示されている。第４のサブ表示領域ＡＳ４に表示されるアイコンは変形対象領域ＡＴ内に入っている画像を左右反転させる場合に選択される。
【００５３】
つづいてビデオ・カメラ２によってユーザが撮影される（ステップ32）。ユーザはビデオ・カメラ２の前方に立っているのでこの撮影によって，ユーザの画像がメイン表示領域ＡＭに表示される。このときはまだ変形対象領域ＡＴ内の画像は変形していない。
【００５４】
つづいて，サブ表示領域ＡＳに表示されている複数のアイコンのうち１つのアイコンがユーザによって選択される（ステップ33）。アイコン選択ボタン７によって選択されているアイコンを示すようにサブ表示領域ＡＳには枠Ｆが形成される。アイコン選択ボタン５がユーザによって１回押されるごとに枠Ｆが第１のサブ表示領域ＡＳ１から第４のサブ表示領域ＡＳ４の間を１つ１つ上に移動する。枠Ｆが第１のサブ表示領域ＡＳ１にあるときにユーザによってアイコン選択ボタン５が押されると，枠Ｆは第４のサブ表示領域ＡＳ４に移動する。アイコン選択ボタン５を用いてユーザによって画像の変形方法が決められると，ユーザによって決定／プリント・ボタン６が押される。
【００５５】
ユーザによって決定／プリント・ボタン６が押されると，ボタン６が押されたときに枠Ｆに囲まれているアイコンによって特定される変形方法によって，かつ変形方法ごとに定まっている変形率で変形対象領域ＡＴ内に入っている画像がＣＰＵ20によって変形処理される（ステップ34）。
【００５６】
枠Ｆが第１のサブ表示領域ＡＳ１にあるときに決定／プリント・ボタン６が押されると，上述のように変形対象領域ＡＴ内にある画像の変形処理は行われない。枠Ｆが第２のサブ表示領域ＡＳ２にあるときに決定／プリント・ボタン６が押されると，あらかじめ定められた変形対象領域ＡＴ内にある画素を表す座標にもとづいて，変形対象領域ＡＴ内に入っている被写体像を表す画像データが検出され，上述のように変形対象領域ＡＴにある画像が細くなるように変形処理が行われる。この処理は水平方向において画素の間引き処理を行うことにより実現できる。プリントするときには撮影領域全体の画素数を合わせるためにユーザの背景において水平方向の画素を補間する処理が行われることとなろう。枠Ｆが第３のサブ表示領域ＡＳ３にあるときに決定／プリント・ボタン６が押されると，上述のように変形対象領域ＡＴにある画像が太くなるように変形処理が行われる。この処理は水平方向において画素の補間処理を行うことにより実現できる。枠Ｆが第４のサブ表示領域ＡＳ４にあるときに決定／プリント・ボタン６が押されると上述のように変形対象領域ＡＴにある画像が左右反転するように変形処理が行われる。この処理はユーザの顔のみをエッジ検出処理により抽出し，抽出したユーザの顔を表す画像の座標変換処理により実現できる。
【００５７】
変形画像を表すディジタル画像データは，上述したように画像表示メモリ22に一時記憶され，この画像表示メモリ22から読み出され，画像表示コントローラ23に与えられることにより，表示装置３の表示画面上に動画表示される（ステップ35）。
【００５８】
ユーザは，メイン表示領域ＡＭに表示された変形画像を見てその変形画像でよければフリーズ・ボタン７を押す（ステップ36）。フリーズ・ボタン７が押されることにより，静止した変形画像が表示装置３の表示画面上に表示される。つづいて，ユーザによって，決定／プリント・ボタン６が押される（ステップ37）。これにより，プリンタ26により静止した変形画像がプリントされプリント放出口11から放出される（ステップ38）。このプリントの一例が図５に示されている。図５に示す例では太るように変形処理された16のユーザの画像を１枚のシートにプリントするものである。もちろん，１つの変形画像のみを１枚のシートにプリントするようにしてもよい。
【００５９】
メイン画像表示領域ＡＭに表示された変形画像がユーザの気に入らなければ，キャンセル・ボタン８が押される。（ステップ36または37でNO）。この場合には，アイコン選択ボタン５により再びアイコンが選択され，選択されたアイコンによって特定される変形処理が行われる（ステップ32から37）。
【００６０】
図６は，この実施例の応用例を示すものである。
【００６１】
図３から図５に示す実施例ではアイコン選択ボタン５によってアイコンが選択され，変形方法が特定されると，その特定された変形方法ごとに定まっている所定の変形率で撮影されたユーザの画像が変形されてメイン表示領域ＡＭに表示される。
【００６２】
これに対してこの応用例では図６に示すようにユーザが特定した変形処理の変形過程がメイン表示領域ＡＭに表示される。画像が徐々に変形していく過程をユーザが見ることができる。徐々に変形しているときにユーザによってフリーズ・ボタン７が押されるとそのときの変形状態で変形画像が停止する。決定／プリント・ボタン６が押されることにより，フリーズ・ボタン７が押されたときの変形画像がプリントされる。
【００６３】
画像が徐々に変形していく過程は，太った変形画像を表示する場合であれば水平方向において補間する画素数を徐々に多くし，やせた変形画像を表示する場合であれば水平方向において間引きする画素数を徐々に多くし，左右反転した画像を表示する場合であれば左右反転される画像部分を徐々に多くすればよい。
【００６４】
ある所定の変形率での変形画像だけでなく，ある所定の変形率までのうちの所望の変形率での変形画像を得ることができる。
【００６５】
図７および図８は他の実施例を示すもので，図７は，画像変形装置１の処理手順を示すフローチャート，図８は，画像変形装置１の表示装置３の表示画面の一例を示している。
【００６６】
図３から図５に示す実施例では，サブ表示領域ＡＳには変形方法を特定するためのアイコンが表示されるが，図７および図８における実施例では撮影によって得られたユーザの画像の縮小画像が表示される。図４に示す画面と同じようにサブ表示領域ＡＳには４つのサブ表示領域が形成されている。これらの４つのサブ表示領域ＡＳ１，ＡＳ２，ＡＳ３およびＡＳ４に変形されていないユーザの縮小画像，やせたユーザの変形縮小画像，太ったユーザの変形縮小画像および左右が反転したユーザの変形縮小画像が表示される。
【００６７】
コイン投入口９からコインが投入されると，表示装置３の表示画面上にはメイン表示領域ＡＭとサブ表示領域ＡＳを含む画像が表示される（ステップ41）。ビデオ・カメラ２によって画像変形装置１の前に立つユーザが撮影され，ユーザの画像がメイン表示領域ＡＭに表示される（ステップ42，43）。
【００６８】
つづいて，変形対象領域ＡＴ内に入っている画像の変形処理（ステップ44），変形された画像の縮小処理（ステップ45）および変形縮小画像（変形された画像の縮小画像）のサブ表示領域ＡＳへの表示処理（ステップ46）が，定められている変形方法の種類の分に応じて繰り返される（ステップ47）。図８に示す例では撮影画像の縮小処理，撮影画像を細くさせてかつ縮小する処理，撮影画像を太らせて縮小する処理および撮影画像を左右反転させて縮小する処理が行われる。変形させられていない縮小画像を表示する場合には（図８の第１のサブ表示領域ＡＳ１），ステップ44に示す処理はスキップするのはいうまでもない。
【００６９】
サブ表示領域ＡＳに画像変形装置１に変形可能なすべての変形縮小画像が表示されると，ユーザがプリントしたい変形縮小画像が表示されているサブ表示領域がアイコン選択ボタン５を用いてユーザによって指定され，かつ決定／プリント・ボタン６を用いてユーザによって決定される（ステップ48）。これによりユーザによって変形方法が特定される。
【００７０】
変形方法が特定されると，変形対象領域ＡＴ内に入っている画像が，特定された変形方法で変形処理される（ステップ49）。変形対象領域ＡＴ内に入っている画像が変形してメイン表示領域ＡＭに表示される（ステップ50）。
【００７１】
ユーザは，フリーズ・ボタン７および決定／プリント・ボタン６を押すことにより，フリーズ・ボタン７が押されたときの変形画像がプリンタ26によってプリントされることとなる。
【００７２】
図７および図８に示す例ではサブ表示領域ＡＳに変形後の縮小画像が表示されているので，どのような変形画像を得ることができるかあらかじめ分かるようになる。
【００７３】
図９は図７および図８に示す実施例の応用例を示すものであり，モニタ表示装置３の表示画面の一例を示している。
【００７４】
この表示画面においてはサブ表示領域ＡＳに異なる変形率での複数の変形縮小画像が表示されている。図８に示す画面の状態において，ユーザが４つのサブ表示領域のうちいずれかのサブ表示領域を選択すると，図９に示すように変形率が異なる複数の縮小画像がサブ表示領域ＡＳに表示される。ビデオ・カメラ２によってユーザが撮影され，ＣＰＵ20によってユーザを表す被写体像の縮小画像を表す画像データが生成される。縮小画像から複数の変形率での変形縮小画像を表す画像データがＣＰＵ20によって生成される。このようにして生成された画像データが画像表示コントローラ23に与えられることにより，サブ表示領域ＡＳに異なる変形率での複数の変形縮小画像が表示される。ユーザは，変形率が異なる複数の縮小画像のうち所望の変形率で変形されている変形縮小画像をアイコン選択ボタン５および決定／プリント・ボタン６を用いて特定する。
【００７５】
特定された縮小画像の変形率での変形画像がメイン表示領域ＡＭに表示され，プリントされることとなる。キャンセル・ボタン８が押されることにより，図８に示す画面に戻る。
【００７６】
例えば，表示装置３の表示画面が図８に示す状態のときに第３のサブ表示領域ＡＴ３が選択された場合には，サブ表示領域ＡＳには図９に示すように，第１のサブ表示領域ＡＳ１には変形していないユーザの画像を 125％太らせた変形縮小画像が表示され，第２のサブ表示領域ＡＳ２には変形していないユーザの画像を 150％太らせた変形縮小画像が表示され，第３のサブ表示領域にはユーザの画像を 175％太らせた変形縮小画像が表示され，第４のサブ表示領域にはユーザの画像を 200％太らせた変形縮小画像が表示される。このように表示された複数の変形縮小画像のうちいずれかの変形縮小画像を選択することとなる。
【００７７】
もちろん，サブ表示領域ＡＳに異なる変形率での複数の縮小画像を表示せずに図６に示すようにメイン表示領域ＡＭに変形過程を表示し，その変形過程のうち所望の時点で変形状態を停止し，かつプリントできるようにしてもよい。
【００７８】
図10および図11はさらに他の実施例を示すもので，図10は画像変形装置１の処理手順を示すフローチャート，図11は画像変形装置１のモニタ表示装置３の表示画面の一例を示している。
【００７９】
図３から図５に示す実施例がモニタ表示装置３の画面のほぼ全部にメイン表示領域ＡＭが形成されていたのに対し，図10および図11に示す実施例ではモニタ表示装置３の画面のほぼ半分ずつに第１のメイン表示領域ＡＭ１および第２のメイン表示領域ＡＭ２が形成されている。第１のメイン画像表示領域ＡＭ１は変形処理前のユーザを表す画像を表示する領域である。第２のメイン表示領域ＡＭ２は変形処理後のユーザを表す画像を表示する領域である。第１のメイン表示領域ＡＭ１に変形対象領域ＡＴが表示される。
【００８０】
コイン投入口９にコインが投入されると，モニタ表示装置３の表示画面には第１の表示領域ＡＭ１および第２の表示領域ＡＭ２ならびにサブ表示領域ＡＳがそれぞれ表示される（ステップ61）。また，ユーザから変形方法が指定される前に第２のメイン表示領域ＡＭ２に表示する変形画像の変形方法があらかじめ設定される。
【００８１】
変形対象領域ＡＴ内にユーザの顔が入るようにユーザが動く。ビデオ・カメラ２によってユーザが撮影され（ステップ62），変形されていないユーザの画像が第１のメイン表示領域ＡＭ１に表示される（ステップ63）。変形対象領域ＡＴに入っている画像が，ステップ61においてあらかじめ設定された変形方法によって変形される（ステップ64）。変形された画像が第２のメイン表示領域ＡＭ２に表示される（ステップ65）。
【００８２】
ステップ61においてあらかじめ設定された変形での画像と異なる変形画像を得たい場合には，サブ表示領域ＡＳに表示されているアイコンのうち所望の変形方法を表すアイコンがアイコン選択ボタン５および決定／プリント・ボタン６を用いてユーザによって特定される（ステップ66でYES ）。ユーザによって決定されたアイコンにより特定される変形処理での画像が第２のメイン表示領域ＡＭ２に表示される（ステップ62から65）。
【００８３】
第２のメイン表示領域ＡＭ２に表示されている変形方法でよければユーザによってフリーズ・ボタン７および決定／プリント・ボタン６が押されて（ステップ67および68），第２のメイン表示領域ＡＭ２に表示されている画像がプリントされる（ステップ69）。
【００８４】
図12(A) から図16はさらに他の実施例を示すものである。図12(A) ，(B) ，(C) および(D) はモニタ表示装置３の表示画面上に表示されている変形対象領域を示しており，図13から図16はモニタ表示装置３の表示画面の一例を示している。
【００８５】
この実施例では複数の変形対象領域が設定されている。図12(A) に示す変形対象領域ＡＴ１はユーザを表す画像の顔全体を変形するように設定されている。図12(B) に示す変形対象領域ＡＴ２はユーザの顔を表す画像のうち目の部分を変形するように設定されている。図12(C) に示す変形対象領域ＡＴ３はユーザの顔を表す画像のうち鼻の部分を変形するように設定されている。図12(D) に示す変形対象領域ＡＴ４はユーザの顔を表す画像のうち口の部分を変形するように設定されている。これらの変形対象領域ＡＴ１〜ＡＴ４を表す変形領域データがメモリ25に記憶されている。
【００８６】
この実施例においては複数の変形対象領域が設定されており，これらの複数の変形対象領域内に入っている画像のすべてまたは複数の変形対象領域のうちの一つの変形対象領域内に入っている画像を変形することができる。以下に詳しく示すようにサブ表示領域ＡＳに複数の変形対象領域が表示され，変形対象領域を特定した後に変形方法を特定する。必要に応じて，変形対象領域と変形方法との特定を繰り返すことによりユーザの所望の変形領域において所望の変形方法での変形を行うことができる。
【００８７】
画像変形装置１のコイン投入口９にコインが投入されるとモニタ表示装置３の表示画面にメイン表示領域ＡＭおよびサブ表示領域ＡＳが表示される。ビデオ・カメラ２によってユーザが撮影され，図13に示すようにメイン表示領域ＡＭにユーザを表す画像が表示される。サブ表示領域には第１のサブ表示領域ＡＳ１，第２のサブ表示領域ＡＳ２，第３のサブ表示領域ＡＳ３および第４のサブ表示領域ＡＳ４が表示される。第１のサブ表示領域ＡＳ１には顔を表すアイコンが表示され，第２のサブ表示領域ＡＳ２には目を表すアイコンが表示され，第３のサブ表示領域ＡＳ３には鼻を表すアイコンが表示され，第４のサブ表示領域ＡＳ４には口を表すアイコンが表示される。図13に示すようにサブ表示領域ＡＳに複数の変形対象領域が表示されている画面を，初期画面という。
【００８８】
初期画面においては，第１のサブ表示領域ＡＳ１に表示されるアイコンは図12(A) に示すように顔全体を変形する変形対象領域ＡＴ１をメイン表示領域ＡＭに表示し，変形対象領域ＡＴ１内に入っている画像を変形するときにユーザによって選択される。第２のサブ表示領域ＡＳ２に表示されるアイコンは図12(B) に示すように目の部分を変形する変形対象領域ＡＴ２をメイン表示領域ＡＭに表示し，変形対象領域ＡＴ２内に入っている画像を変形するときにユーザによって選択される。第３のサブ表示領域ＡＳ３に表示されるアイコンは図12(C) に示すように鼻の部分を変形する変形対象領域ＡＴ３をメイン表示領域ＡＭに表示し，変形対象領域ＡＴ３内に入っている画像を変形するときにユーザによって選択される。第４のサブ表示領域ＡＳ４に表示されるアイコンは図12(D) に示すように口の部分を変形する変形対象領域ＡＴ４をメイン表示領域ＡＭに表示し，変形対象領域ＡＴ４内に入っている画像を変形するときにユーザによって選択される。
【００８９】
図13に示すように初期画面においてサブ表示領域ＡＳ１からＡＳ４に表示されているアイコンのうちのいずれか１つのアイコンが，アイコン選択ボタン５および決定／プリント・ボタン６を用いてユーザによって特定される。アイコンが特定されるとその特定されたアイコンが表す変形対象領域がメイン表示領域ＡＭに表示され，かつ特定されたアイコンが表す変形対象領域での変形方法を表す複数のアイコンがサブ表示領域ＡＳに表示される。
【００９０】
例えば，図14に示す例では初期画面において第２のサブ表示領域ＡＳ２に表示されているアイコンが特定された場合を示している。この場合には，メイン表示領域ＡＭには目の部分を変形させるための変形対象領域ＡＴ２が表示される。サブ表示領域ＡＳには第１のサブ表示領域ＡＳ１から第４のサブ表示領域ＡＳ４が表示される。第１のサブ表示領域ＡＳ１には目を大きくする場合に特定されるアイコンが表示される。第２のサブ表示領域ＡＳ２には目を小さくする場合のアイコンが表示される。第３のサブ表示領域ＡＳ３には目を細くする場合のアイコンが表示される。第４のサブ表示領域ＡＲには初期画面に戻る旨の文字が表示される。
【００９１】
メイン表示領域ＡＭに表示されている画像をプリントする場合にはユーザによってフリーズ・ボタン７および決定／プリント・ボタン６が押される。これによりメイン表示領域ＡＭに表示されている画像がプリントされる。
【００９２】
さらに変形処理を行う場合には，第４のサブ表示領域ＡＲに表示されている文字がアイコン選択ボタン５および決定プリント・ボタン６を用いてユーザによって特定される。すると図15に示すようにモニタ表示装置３の表示画面は変形対象領域内の画像が変形している画像がメイン表示領域ＡＭに表示された状態での初期画面となる。
【００９３】
サブ表示領域ＡＳに表示されている複数のアイコンのうちの１つのアイコンがユーザによって特定され（図15），その特定されたアイコンによって表される変形対象領域がメイン表示領域ＡＭに表示される。またその特定されたアイコンによって表される変形対象領域での変形方法を表すアイコンがサブ表示領域ＡＳに表示される（図16）。このサブ表示領域ＡＳに表示されているアイコンをユーザが特定することにより変形方法が決定し，変形対象領域内の画像がその決定された変形方法により変形される。
【００９４】
さらに変形処理を繰り返す場合には，再び第４のサブ表示領域ＡＲに表示されているアイコンがユーザによって特定される。これによりモニタ表示装置３の表示画面は初期画面に戻る。変形処理が終了してプリントする場合には，フリーズ・ボタン７および決定／プリント・ボタン６が押され，プリンタ26によりプリントされる。プリントはプリント排出口11から排出される。
【００９５】
上述した変形対象領域ＡＴ２，ＡＴ３およびＡＴ４内の画像変形処理は，エッジ検出を利用して，ユーザの目，鼻および口の領域を検出し，画素補間，画素間引きなどにより実現できる。また目，鼻および口などの領域を検出せずとも変形対象領域ＡＴ２，ＡＴ３およびＡＴ４の中心を基準として拡大，縮小，左右反転処理などを行うことにより，変形対象領域ＡＴ２，ＡＴ３およびＡＴ４内の画像の変形処理を実現できる。
【００９６】
上述した実施例においては，変形対象領域を表示画面上に表示しているが，必ずしも変形対象領域を表示画面上に表示しなくともよい。変形対象領域を表示しない場合でも変形対象領域が表示されている場合と同様に画像変形処理が行われるのはいうまでもない。
【００９７】
図17から図23(A) および(B) は，他の実施例を示すものである。
【００９８】
図17は，ディジタル・スチル・カメラの電気的構成を示すブロック図である。図18は，ディジタル・スチル・カメラのメモリに含まれる画像変形処理ファイルを示している。
【００９９】
上述した画像変形装置１は，被写体の撮像および被写体像の変形処理を画像変形装置１で行っているが，図17に示すディジタル・スチル・カメラは，被写体を撮像するが，画像変形処理は，パーソナル・コンピュータなどを利用した他の画像変形装置で行なうものである。
【０１００】
ディジタル・スチル・カメラの全体の動作は，ＣＰＵ81によって統括される。
【０１０１】
ＣＰＵ81にはメモリ87が接続されている。このメモリ87に図18に示す画像変形処理ファイルが格納されている。
【０１０２】
画像変形処理ファイルには画像変形処理ヘッダ，画像変形方法データおよび変形対象領域データが含まれている。
【０１０３】
画像変形処理ヘッダは，画像変形処理ファイルであることを示している。
【０１０４】
画像変形方法データは，所定の画像変形処理プログラムにおいて，変形対象領域内の画像を変形させる処理方法（拡大，縮小，回転など）を表すデータである。同一の変形対象領域内で複数の変形処理が可能であるときは，その複数の処理に対応する分の画像変形処理データが記憶されている。
【０１０５】
変形対象領域データは，ビューファインダ（この実施例では液晶表示器により構成されている）85に表示される変形対象領域を表すデータである。この変形対象領域データは，たとえば，２値データである。また，ゼロ・ランレングスなどのデータ圧縮処理により圧縮されていてもよい。圧縮されている場合は，変形対象領域データは，ＣＰＵ81において伸張される。
【０１０６】
同期クロック・パルス発生回路82から同期クロック・パルスが発生し，ＣＰＵ81および切替制御信号発生回路83に与えられる。
【０１０７】
変形対象領域選択スイッチ86により，所望の変形対象領域が選択される。変形対象領域選択スイッチ86の選択信号は，ＣＰＵ81に入力する。入力された選択信号に応じて，メモリ87に記憶されている画像変形処理ファイル内の変形対象領域データが読み取られる。この変形対象領域データは，切替制御信号発生回路83に与えられる。
【０１０８】
ＣＣＤ80から出力された被写体像を表す映像信号は，切替スイッチ84のａ端子および切替制御信号発生回路83に与えられる。また切替スイッチ84のｂ端子には一定レベルの輝度を表す輝度信号が与えられている。この輝度信号のレベルが変形対象領域のレベルとなる。ＣＣＤ80から出力された映像信号と同期した変形対象領域を表す信号が切替制御信号として切替制御信号発生回路83から出力される。
【０１０９】
切替制御信号は切替スイッチ84に与えられる。切替スイッチ84は，切替制御信号発生回路83から出力される切替制御信号が与えられているときはｂ端子が接続され，切替制御信号が与えられていないときにはａ端子が接続される。切替スイッチ84を通過した信号は，ビューファインダ85に与えられる。ビューファインダ85には変形対象領域が表された被写体像が表示されることとなる。撮影者は，被写体の変形させたい部分が変形対象領域内に入るようにカメラを動かす。もちろん，カメラを動かさずに，被写体が人間であれば被写体であるユーザ自身が動いても良い。
【０１１０】
ＣＣＤ80から出力された映像信号は，アナログ／ディジタル（Ｄ／Ａ）変換回路においてディジタル画像データに変換される。この画像データはデータ圧縮回路89において圧縮（たとえばＪＰＥＧ（joint photographic coding experts group ）にもとづく圧縮）されてメモリ・カード90に記録される。また，変形対象領域選択スイッチ86により選択された変形対象領域を表すデータおよび選択された変形対象領域データに対応する画像変形方法データもメモリ・カード90に与えられ，撮影によって得られた画像データに関連してメモリ・カード90に記録される。
【０１１１】
図19は，メモリ・カード90のファイル構成を示している。
【０１１２】
メモリ・カード90には，ヘッダ領域とデータ領域とか含まれている。ヘッダ領域には，ヘッダ，ＦＡＴ（file allocatin table）およびディレクトリが含まれている。データ領域には，画像データ記録領域と画像変形処理領域とが含まれている。画像データ記録領域に撮影によって得られた画像データが記録されている。画像変形処理領域に画像変形方法データおよび変形対象領域データが記録されている。画像データと，その画像データに対応する画像変形方法データおよび変形対象領域データとの関連付けはＦＡＴで管理されている。
【０１１３】
このように，画像データならびに画像変形処理データおよび変形対象領域データが記録されたメモリ・カード90が，画像変形処理プログラムを格納した画像変形装置に挿填されることにより，上述した画像変形処理と同様の処理が行われる。
【０１１４】
図20は，画像変形装置の電気的構成を示すブロック図である。
【０１１５】
画像変形装置にはコンピュータ90が含まれている。このコンピュータ90には，上述した画像変形処理のプログラムが格納された内蔵メモリ93が含まれている。
【０１１６】
コンピュータ90には，表示装置91および入力装置（マウス，キーボードなど）94が接続されている。さらに，コンピュータ90にはメモリ・カード・リーダ95，ＣＤ−ＲＯＭドライブ96およびＨＤユニット97が接続されている。メモリ・カード・リーダ95は，メモリ・カードからのデータの読出しを行なう。ＣＤ−ＲＯＭドライブ96は，ＣＤ−ＲＯＭからのデータの読出しを行なう。ＨＤユニット97はハードディスク（図示略）へのデータの書込みおよびハードディスクからのデータの読出しを行なう。さらにコンピュータ90にはプリンタ92が接続されている。
【０１１７】
画像データならびに画像変形処理データおよび変形対象領域データが記録されたメモリ・カード90がメモリ・カード・リーダ95に挿填されると，メモリ・カード・リーダ95によってメモリ・カード90に記録されている画像データ，ならびにこの画像データに対応する画像変形方法データおよび変形対象領域データが読み取られ，コンピュータ90に与えられる。
【０１１８】
内部メモリ93に格納されている画像変形プログラムにもとづいて，メモリ・カード90に記録されている画像データによって表される画像のうち変形対象領域データによって表される変形対象領域内に入っている画像について画像変形方法データによって特定される画像変形処理が行われる。このようにして画像変形処理されたあとの画像が表示装置91に表示される。必要であればプリンタ92によってプリントされる。
【０１１９】
図21は，変形処理が行われていない被写体像を示している。図22(A) および図23(A) は，変形対象領域を示している。図22(A) に示す変形対象領域内に入っている画像を変形した被写体像を示し，図23(B) は，図23(A) に示す変形対象領域内に入っている画像を変形した被写体像を示している。
【０１２０】
被写体を撮影し，図21に示す被写体像が得られる。この被写体像が上述したディジタル・スチル・カメラのビューファインダ85に表示される。
【０１２１】
図22(A) に示す変形対象領域ＡＴ５が選択スイッチ86によって選択されている場合にはビューファインダ85の表示画面上に，被写体像に重ねて変形対象領域ＡＴ５が表示される。図22(A) に示す変形対象領域ＡＴ５が選択された場合には，この変形対象領域ＡＴ５内に入っている画像が左右に広げられる処理が行われる（変形後の被写体像が図22(B) に示すものである）。
【０１２２】
図23(A) に示す変形対象領域ＡＴ２が選択されている場合にはモニタ表示装置３の表示画面上にその変形対象領域ＡＴ２が表示される。図23(A) に示す変形対象領域ＡＴ２が選択された場合には，ここでは変形対象領域ＡＴ２内に入っている画像が右上方に引っ張られる処理が行われる（変形後の被写体像が図23(B) に示すものである）。
【０１２３】
図24はディジタル・スチル・カメラの背面図である。
【０１２４】
ディジタル・スチル・カメラ70には，上述のように液晶表示器のビュー・ファインダ85の代わりに窓をビューファインダとしているものもある。このようなビュー・ファインダ71が形成されているディジタル・スチル・カメラの場合には，ディジタル・スチル・カメラにおいて行われる画像変形処理に対応した変形対象領域ＡＴ５があらかじめ印刷されている透明シート72が用意される。ディジタル・スチル・カメラにおいて画像変形処理を行なう場合には，この透明シート72をビュー・ファインダ71の面に貼付する。撮影者は，この透明シート72が貼付されたビュー・ファインダ71を通して変形したい所望の部分が変形対象領域ＡＴ５内に入るようにして被写体を撮影する。
【０１２５】
撮影者は，ビューファインダ71に貼付した透明シートに対応する変形対象領域をスイッチ86により選択する。選択された変形対象領域に対応する画像変形方法データおよび変形対象領域データがメモリ87から読出されて，画像データに関連付けられてメモリ・カード90に記録される。その後は，図20に示す画像変形装置のメモリ・カード・リーダ95にメモリ・カード90が装填され，画像変形処理が行われるのは，ビューファインダ85が液晶表示器により構成されているディジタル・スチル・カメラにより被写体が撮影された場合と同じである。
【０１２６】
上述したディジタル・スチル・カメラでは，ディジタル・スチル・カメラに内蔵されているメモリ87に画像変形処理ファイルが格納されているが，必ずしも画像変形処理ファイルをディジタル・スチル・カメラに格納しておく必要はない。
【０１２７】
たとえば変形対象領域を表す透明シート72をビューファインダ71に貼付し，貼付した透明シートに対応する変形対象領域を識別するデータをスイッチ86から入力する。スイッチ86から入力した変形対象領域識別データを画像データに関連付けてメモリ・カード90に記録する。
【０１２８】
画像変形装置には変形対象領域識別データによって設定される画像変形方法データおよび変形対象領域データが記録されている。
【０１２９】
変形対象領域識別データと画像データとが記録されたメモリ・カード90を画像変形装置のメモリ・カード・リーダ95に装填し，変形対象領域識別データと画像データとが読出される。読出された変形対象領域識別データから画像変形方法データおよび変形対象領域データが読出され，画像データによって表される被写体像のうち変形対象領域データによって表される変形対象領域内の画像が，画像変形方法データによって表される変形方法で変形される。
【図面の簡単な説明】
【図１】画像変形装置の斜視図である。
【図２】画像変形装置の電気的構成を示すブロック図である。
【図３】画像変形処理の処理手順を示すフローチャートである。
【図４】表示画面の一例を示している。
【図５】プリントの一例を示している。
【図６】表示画面に表示される画像の変形の過程を示している。
【図７】画像変形処理の処理手順を示すフローチャートである。
【図８】表示画面の一例を示している。
【図９】表示画面の一例を示している。
【図１０】画像変形処理の処理手順を示すフローチャートである。
【図１１】表示画面の一例を示している。
【図１２】  (A) から(D) は変形対象領域を示している。
【図１３】表示画面の一例を示している。
【図１４】表示画面の一例を示している。
【図１５】表示画面の一例を示している。
【図１６】表示画面の一例を示している。
【図１７】ディジタル・スチル・カメラの電気的構成を示すブロック図である。
【図１８】画像変形処理ファイルを示す。
【図１９】メモリ・カードのファイル構成を示す。
【図２０】画像変形装置の電気的構成を示すブロック図である。
【図２１】被写体像を示す。
【図２２】  (A) は変形対象領域を示し，(B) は変形後の被写体像を示す。
【図２３】  (A) は変形対象領域を示し，(B) は変形後の被写体像を示す。
【図２４】ディジタル・スチル・カメラの背面図である。
【符号の説明】
１  画像変形装置
２  ビデオ・カメラ
３  表示装置
５  アイコン選択ボタン
６  決定／プリント・ボタン
７  フリーズ・ボタン
12  操作部
20  ＣＰＵ
26  プリンタ
【図１】
0003993922.tif 000002
【図２】
0003993922.tif 000003
【図３】
0003993922.tif 000004
【図４】
0003993922.tif 000005
【図５】
0003993922.tif 000006
【図６】
0003993922.tif 000007
【図７】
0003993922.tif 000008
【図８】
0003993922.tif 000009
【図９】
0003993922.tif 000010
【図１０】
0003993922.tif 000011
【図１１】
0003993922.tif 000012
【図１２】
0003993922.tif 000013
【図１３】
0003993922.tif 000014
【図１４】
0003993922.tif 000015
【図１５】
0003993922.tif 000016
【図１６】
0003993922.tif 000017
【図１７】
0003993922.tif 000018
【図１８】
0003993922.tif 000019
【図１９】
0003993922.tif 000020
【図２０】
0003993922.tif 000021
【図２１】
0003993922.tif 000022
【図２２】
0003993922.tif 000023
【図２３】
0003993922.tif 000024
【図２４】
0003993922.tif 000025